(57)【要約】【課題】更なる狭幅化を実現したコネクタを提供する。【解決手段】このコネクタ１は、略長方形状の嵌合面１１を有する樹脂ハウジング１０と、その樹脂ハウジング１０に支持された複数のコンタクト２０とを備えている。樹脂ハウジング１０は、嵌合面１１から突き出てその嵌合面１１の幅方向中央を長手方向に延び複数のコンタクト２０を支持する支持突条１２を有する。また、複数のコンタクト２０は、その各々が、相手コネクタに向かって凸に湾曲した形状の、相手コネクタのコンタクトに接触する接触部２１と、樹脂ハウジング１０の幅方向に延びて回路基板に半田付けされる半田付け部２２とを有する。そして、それら複数のコンタクト２０は、接触部２１が支持突条１２を跨いだ姿勢に一列に配列されている。【選択図】図１
2017147171.tif 000002
【特許請求の範囲】
【請求項１】
略長方形状の嵌合面を有する樹脂ハウジングと、
前記樹脂ハウジングに支持された複数のコンタクトとを備え、
前記樹脂ハウジングが、前記嵌合面から突き出て該嵌合面の幅方向中央を長手方向に延び前記複数のコンタクトを支持する支持突条を有し、
前記複数のコンタクトそれぞれが、相手コネクタに向かって凸に湾曲した形状の、該相手コネクタのコンタクトに接触する接触部と、前記樹脂ハウジングの幅方向に延びて回路基板に半田付けされる半田付け部とを有し、該複数のコンタクトが、該接触部が前記支持突条を跨いだ姿勢に一列に配列されていることを特徴とするコネクタ。
【請求項２】
前記複数のコンタクトの前記半田付け部が、該複数のコンタクトの配列順に、前記樹脂ハウジングの幅方向左右に交互に延びていることを特徴とする請求項１に記載のコネクタ。
【請求項３】
前記複数のコンタクトの、前記支持突条に支持された前記接触部が、該複数のコンタクトの全てにわたる領域について両側方双方から視認されるように、前記樹脂ハウジングが、前記領域について前記支持突条の両側方双方を開放した形状を有することを特徴とする請求項１または２に記載のコネクタ。
【請求項４】
前記樹脂ハウジングの前記嵌合面を一周に渡って略長方形状に取り巻いた形状を有し嵌合する相手コネクタを案内する金属シェルをさらに備えたことを特徴とする請求項１から３のうちのいずれか１項に記載のコネクタ。
【請求項５】
当該コネクタが、当該コネクタが搭載される回路基板と相手コネクタが搭載される回路基板とを電気的に接続するコネクタであることを特徴とする請求項１から４のうちのいずれか１項に記載のコネクタ。
【発明の詳細な説明】
【技術分野】
【０００１】
本発明は、回路基板どうしの接続に好適なコネクタに関する。
【背景技術】
【０００２】
近年、コネクタの用途によっては、そのコネクタの益々の小型化、狭幅化が要求されてきている。例えば、携帯型機器に内蔵される回路基板どうしの接続に用いる基板対基板型のコネクタを取り上げる。この用途のコネクタの場合、数十本ものコンタクトを配列したコネクタであって、例えば長さ１０ｍｍ以下、幅１．５ｍｍ以下という極めて小型の寸法が要求されてきている。
【０００３】
ここで、特許文献１には、嵌合面から立ち上がった立壁を有するハウジングとその立壁の側面に沿うシェルとを備えたコネクタが開示されている。
【０００４】
また、特許文献２には、１列のコンタクトを有する基板実装型リセプタクルコネクタと、１列のコンタクトを有しケーブルを終端するプラグコネクタとからなるコネクタ組立体が開示されている。
【先行技術文献】
【特許文献】
【０００５】
【特許文献１】特開２０１５−１３５８０６号公報
【特許文献２】特開２０１０−１１３８１３号公報
【発明の概要】
【発明が解決しようとする課題】
【０００６】
上掲の特許文献１のコネクタの場合、ハウジングの構造が邪魔となってコネクタの更なる狭幅化が困難である。
【０００７】
また、上掲の特許文献２のコネクタの場合、リセプタクルコネクタのコンタクトとプラグコネクタのコンタクトは、各コネクタハウジングに互いに横方向にずれた状態に支持されている。このため、この特許文献２のコネクタの場合も、更なる狭幅化は困難である。
【０００８】
本発明は、上記事情に鑑み、更なる狭幅化を実現したコネクタを提供することを目的とする。
【課題を解決するための手段】
【０００９】
上記目的を達成する本発明のコネクタは、
略長方形状の嵌合面を有する樹脂ハウジングと、
その樹脂ハウジングに支持された複数のコンタクトとを備え、
樹脂ハウジングが、上記嵌合面から突き出てその嵌合面の幅方向中央を長手方向に延び複数のコンタクトを支持する支持突条を有し、
複数のコンタクトそれぞれが、相手コネクタに向かって凸に湾曲した形状の、相手コネクタのコンタクトに接触する接触部と、樹脂ハウジングの幅方向に延びて回路基板に半田付けされる半田付け部とを有し、それら複数のコンタクトが、接触部が支持突条を跨いだ姿勢に一列に配列されていることを特徴とする。
【００１０】
本発明のコネクタの場合、複数のコンタクトが一列に配列されている。しかも、それらのコンタクトの接触部は、凸に湾曲した形状を有し支持突条を跨いだ姿勢に支持されている。このため、それらの接触部に接触する相手コネクタのコンタクトは、本発明のコネクタのコンタクトに、凸に湾曲した形状の接触部を幅方向から挟むようにして接触することができる。したがって、本発明のコネクタによれば、上掲の特許文献１，２に開示されたコネクタと比べて更なる狭幅化を実現することができる。
【００１１】
ここで、本発明のコネクタにおいて、上記複数のコンタクトの半田付け部が、それら複数のコンタクトの配列順に、樹脂ハウジングの幅方向左右に交互に延びていることが好ましい。
【００１２】
複数のコンタクトの半田付け部が配列順に幅方向左右に交互に延びた形状を有すると、回路基板上でのコンタクトの半田付けのピッチが、コネクタにおけるコンタクトの配列ピッチの２倍の間隔となる。このため、狭ピッチ化による多ピン化ないしは長手寸法の短縮化が可能となる。
【００１３】
また、本発明のコネクタにおいて、上記複数のコンタクトの、上記支持突条に支持された接触部が、それら複数のコンタクトの全てにわたる領域について両側方双方から視認されるように、上記樹脂ハウジングが、上記領域について上記支持突条の両側方双方を開放した形状を有することが好ましい。
【００１４】
コンタクトと樹脂ハウジングを一体成形しようとすると、その成形金型に、コンタクトを定位置に保持しておく構造が必要となる。樹脂ハウジングが、上記の領域について支持突条の両側方双方を開放した形状を有すると、一体成形にあたり、コンタクトの接触部を両側方から挟むようにして支持しておくことができ、コンタクトの接触部の寸法精度を向上させることができる。
【００１５】
さらに、本発明のコネクタにおいて、上記樹脂ハウジングの嵌合面を一周に渡って略長方形状に取り巻いた形状を有し嵌合する相手コネクタを案内する金属シェルをさらに備えることが好ましい。
【００１６】
樹脂ハウジングは、狭幅化により、嵌合する相手コネクタを案内する構造を持つことができない構造となるおそれがある。その場合であっても、上記の金属シェルを備えると、その金属シェルによって相手コネクタを案内することができる。また、樹脂ハウジングは、狭幅化により、それ自体では必要な強度を維持することができなくなるおそれがある。その場合であっても、この金属シェルを備えることにより、必要な強度を持ったコネクタが実現する。
【００１７】
さらに、本発明のコネクタが、そのコネクタが搭載される回路基板と相手コネクタが搭載される回路基板とを電気的に接続するコネクタであることが好ましい。
【００１８】
本発明のコネクタは、回路基板と回路基板とを電気的に接続する、いわゆるボードツーボード用のコネクタとして好適である。
【発明の効果】
【００１９】
以上の本発明によれば、更なる狭幅化実現したコネクタを提供することができる。
【図面の簡単な説明】
【００２０】
【図１】本発明の一実施形態としてのコネクタの外観斜視図である。
【図２】図１に示すコネクタの分解斜視図である。
【図３】相手コネクタの外観斜視図である。
【図４】図１，図２に示すコネクタと図３に示す相手コネクタを嵌合の姿勢に合わせて示した、嵌合前の状態の斜視図である。
【図５】図４に示す矢印Ａ−Ａおよび矢印Ｂ−Ｂに沿う、２つのコネクタの断面図である。
【図６】図１，図２に示すコネクタと図３に示す相手コネクタの、嵌合状態の斜視図である。
【図７】図６に示す矢印Ａ−Ａおよび矢印Ｂ−Ｂに沿う、２つのコネクタの断面図である。
【発明を実施するための形態】
【００２１】
以下、本発明の実施の形態を説明する。
【００２２】
図１は、本発明の一実施形態としてのコネクタの外観斜視図である。
【００２３】
ここで、図１（Ａ）は、相手コネクタ（後述する）と嵌合する嵌合面を上方に向けた姿勢の斜視図である。また、図１（Ｂ）は、回路基板（不図示）に搭載される下面を上に向けた姿勢の斜視図である。
【００２４】
また、図２は、図１に示すコネクタの分解斜視図である。
【００２５】
このコネクタ１は、樹脂ハウジング１０を備えている。この樹脂ハウジング１０は、図１，図２に示す上面に、略長方形状に形成された、相手コネクタとの嵌合面１１を有する。
【００２６】
また、この樹脂ハウジング１０は、嵌合面１１から上方（嵌合時の相手コネクタ側）に突き出て嵌合面１１の幅方向中央を長手方向に延びる支持突条１２が形成されている。この支持突条１２には、複数のコンタクト２０が支持されている。これらのコンタクト２０は、樹脂ハウジング１０に一体成形されている。
【００２７】
ここで、これらのコンタクト２０の各々は、相手コネクタのコンタクトに接触する接触部２１と、回路基板に半田付けされる半田付け部２２とを有する。そして、その接触部２１は、相手コネクタに向かって、すなわち図１（Ａ）に示す姿勢における上方に向かって凸に湾曲した形状を有する。また、半田付け部２２は、図１（Ｂ）に示すように、樹脂ハウジング１０の幅方向に延びている。これらのコンタクト２０は、それらのコンタクト２０の接触部２１が樹脂ハウジング１０の支持突条１２を跨いだ姿勢に一列に配列されている。
【００２８】
また、これらのコンタクト２０の半田付け部２２は、図１（Ｂ）に示すように、樹脂ハウジング１０の下面１９に沿って、それらのコンタクト２０の配列順に、樹脂ハウジング１０の幅方向左右に交互に延びている。これらの半田付け部２２は、このコネクタ１が搭載される回路基板（不図示）に半田付けされる。ここで、これらの半田付け部２２は樹脂ハウジング１０の幅方向左右に交互に延びているため、回路基板上でのコンタクト２０の半田付けのピッチが、コネクタ１におけるコンタクト２０の配列ピッチの２倍の間隔となる。これにより、狭ピッチ化による多ピン化ないしは長手寸法の短縮化を可能としている。
【００２９】
また、図２に示すように、樹脂ハウジング１０は、樹脂ハウジング１０の支持突条１２に支持された複数のコンタクト２０の接触部２１が、そこに配列されている複数のコンタクト２０の全てに渡る領域について、この樹脂ハウジング１０の両側方双方から視認される形状となっている。具体的には、本実施形態の樹脂ハウジング１０の場合、支持突条１２の長手方向全域に渡って、その支持突条１２が両側方から視認されるように、その長手方向全域の両側方が開放された形状となっている。さらに換言すると、樹脂ハウジング１０の嵌合面１１は、支持突条１２の長手方向全域が両側方から丸見えとなるように、その長手方向全域については、支持突条１２を除き、両側端まで平面形状を有している。
【００３０】
コンタクト２０と樹脂ハウジング１０を一体成形しようとすると、その成形金型に、コンタクトを定位置に保持しておく構造が必要となる。本実施形態では、樹脂ハウジング１０が、上記の全域について支持突条１２の両側方双方を開放した形状を有する。このため、一体成形にあたり、コンタクト２０の接触部２１を両側方から挟むようにして支持する構造の金型を用いることで、コンタクト２０の接触部２１の寸法精度が向上する。
【００３１】
また、このコネクタ１は金属シェル３０を備えている、本実施形態における金属シェル３０は、折曲げ加工を経て形成されたものである。本実施形態における金属シェル３０は、その長手方向中央で分かれた２つの部品３０ａ，３０ｂで構成されている。これら２つの部品３０ａ，３０ｂは互いに同一の形状を有している。そして、それら２つの部品３０ａ，３０ｂが共同して、嵌合面１１を一周に渡って取り巻くように配置されている。なお、金属シェル３０は、一体品であってもよい。
【００３２】
この金属シェル３０は、基部３１と、湾曲部３２と、支持部３３とを有する。基部３１は、樹脂ハウジング１０の嵌合面１１の周縁から立ち上がり、その周縁に沿って延びて嵌合面１１を一周に渡って略長方形状に取り巻いた形状を有する。また、湾曲部３２は、基部３１の上端に繋がり内向きに半円形状に湾曲している。この湾曲部３２は、この半円形状に湾曲した形状により、嵌合しようとしている相手コネクタを容易に正しい嵌合位置に案内する役割を担っている。
【００３３】
さらに、支持部３３は、湾曲部３２から基部３１の内壁面に沿い、樹脂ハウジング１０の嵌合面１１に向かって垂下した形状を有する。この支持部３３は、嵌合してきた相手コネクタを支持する役割を担っている。この支持部３３は、基部３１と合わせて２倍の厚みの金属板となって、この部分を補強している。これにより、相手コネクタをさらにしっかりと支持する構造となっている。
【００３４】
また、この金属シェル３０の湾曲部３２および支持部３３は、基部３１の略長方形状の４隅を除く領域に形成されている。この金属シェル３０の４隅の領域は、湾曲部３２および支持部３３を除く基部３１のみで形成されている。このため、相手コネクタを受け入れる幅は、基部３１のみからなる長手方向両端部において、中央の部分よりも広くなっている。
【００３５】
さらに、この金属シェル３０の長手方向両端部の支持部３３ａには、外向きに窪んだ窪み部３４（図５，図７を合わせて参照）が形成されている。この窪み部３４は、相手コネクタを嵌合した状態にロックする役割を担っている。
【００３６】
さらに、この金属シェル３０の長手方向両端部と、その両端部近傍の両側部には、基部３１の下端からさらに下方に延びた半田付け部３５が形成されている。これらの半田付け部３５は、このコネクタ１が搭載される回路基板（不図示）に、コンタクト２０の半田付け部２２とともに半田付けされる。そして、これらの半田付け部３５は、半田付けにより、コネクタ１を回路基板に強固に固定する。
【００３７】
ここで、嵌合してきた相手コネクタの幅方向に沿った両側部は、金属シェル３０の支持部３３のうちの長手方向に延びる支持部３３ｂ、すなわち幅方向に沿った両側の支持部３３ｂによって、両側から挟まれるように支持される。
【００３８】
ここで、本実施形態の樹脂ハウジング１０は、製造上の要請から、支持突条１２の両側方を開放した形状を有する。つまり、本実施形態の樹脂ハウジング１０には、金属シェル３０の、相手コネクタの両側面を支持する支持部３３ｂの側面に沿う立壁は形成されていない。すなわち、この部分の金属シェル３０の支持部３３ｂは、相手コネクタの幅方向に沿った両側面を、樹脂ハウジング１０の支えなしに単独で支持する構造となっている。
【００３９】
本実施形態のコネクタ１は、支持突条１２の両側方を開放した形状とすることで、コンタクト２０の接触部２１を配列した支持突条１２の形成を可能とし、狭幅化を実現している。しかしながら、本実施形態のコネクタ１は、樹脂ハウジング１０のこの形状のために、樹脂ハウジング１０自体では相手コネクタを支持することはできない。そこで、本実施形態のコネクタ１では、金属シェル３０で幅方向に沿った両側から相手コネクタを支持する構造としている。また、この構造により、金属シェル３０に樹脂ハウジング１０の補強の役割も担わせている。さらに、本実施形態のコネクタ１は、金属シェル３０に上記の湾曲部３２を設けることで、相手コネクタを正しい嵌合位置に案内する構造としたことから、狭幅化を実現しつつ、さらに、相手コネクタの嵌合を容易にした構造となっている。
【００４０】
樹脂ハウジング１０には、略長方形状を有する嵌合面の４隅のそれぞれを区画して立ち上がったＬ字形の台部１３が形成されている。金属シェル３０は、その基部３１の４隅がこれらの台部１３の上に載った姿勢に、樹脂ハウジング１０に固定される。この樹脂ハウジング１０には、両側部の、４隅のＬ字形の台部１３のそれぞれに隣接した位置に、金属シェル３０を保持する保持溝１４が設けられている。これらの保持溝１４には、上記の半田付け部３５のうちの、長手方向両端部近傍の両側部に形成されている合計４つの半田付け部３５ａが、それぞれ対応する保持溝１４に圧入で嵌め込まれる。これにより、金属シェル３０を構成する２つの部品３０ａ，３０ｂが樹脂ハウジング１０に保持される。金属シェル３０の半田付け部３５は、回路基板（不図示）に半田付けされる。このため、樹脂ハウジング１０による金属シェル３０（２つの部品３０ａ，３０ｂ）の保持は、４つの保持溝１４による保持のみで十分である。
【００４１】
図３は、相手コネクタの外観斜視図である。この相手コネクタ２は、図１，図２に示す本実施形態のコネクタと嵌合するコネクタである。この図３には、相手コネクタ２が、図１，図２に示すコネクタ１と嵌合する嵌合部を上に向けた姿勢に示されている。
【００４２】
この相手コネクタ２は、樹脂ハウジング４０と、複数のコンタクト５０と、長手方向両端の補強金具６０とを備えている。樹脂ハウジング４０には、長手方向に延びる嵌合溝４１が形成されている。この相手コネクタ２が、図１，図２に示すコネクタ１に嵌合すると、コネクタ１の樹脂ハウジング１０に設けられている支持突条１２が、この相手コネクタ２の樹脂ハウジング４０に設けられている嵌合溝４１に嵌入する。
【００４３】
この嵌合溝４１には、複数のコンタクト５０が圧入されて配列されている。図１，図２のコネクタ１の支持突条１２がこの嵌合溝４１に嵌入すると、図１，図２のコネクタ１の複数のコンタクト２０と、この相手コネクタ２の複数のコンタクト５０が、互いに対応するコンタクト２０，５０ごとに接触して電気的に接続される。
【００４４】
ここで、本実施形態のコネクタ１に備えられているコンタクト２０は、前述の通り、相手コネクタ２のコンタクト５０に接触する接触部２１が相手コネクタ２に向かって凸に湾曲した形状を有する。そして、その接触部２１は、樹脂ハウジング１０の支持突条１２を跨いだ姿勢に配置されている。これに対し、相手コネクタ２のコンタクト５０は、凸に湾曲した形状の接触部２１を支持突条１２の幅方向両側から挟むようにして接触部２１と接触する（図５（Ｂ），図７（Ｂ）を合わせて参照）。
【００４５】
この相手コネクタ２は、本実施形態のコネクタ１と同様、図３に示す姿勢における下面が不図示の回路基板に接した姿勢で、その回路基板に搭載される。この相手コネクタ２が搭載される回路基板は、図１，図２に示すコネクタ１が搭載される回路基板とは別の回路基板である。各コンタクト５０には、樹脂ハウジング４０の下面４２に沿って樹脂ハウジング４０の幅方向左右に交互に延びた半田接続部５１（図４，図６参照）が設けられている。この相手コネクタ２が回路基板（不図示）に搭載されると、コンタクト５０の半田接続部５１がその回路基板の表面に半田付けされる。
【００４６】
また、補強金具６０は、ハウジング４０の長手方向両端部に固定されている。この補強金具６０には、長手方向外向きの面に外向きに突き出た突起部６１が設けられている。この突起部６１は、この相手コネクタ２が図１，図２に示すコネクタ１に嵌合したときに、コネクタ１の金属シェル３０に設けられている窪み部３４に入り込む。そして、窪み部３４に突起部６１が入り込むことによって、コネクタ１と相手コネクタ２との嵌合が容易には外れないようにロックされる。
【００４７】
また、この補強金具６０には、水平に延びる半田付け部６２が設けられている。この半田付け部６２は、この相手コネクタ２が搭載される回路基板（不図示）に、コンタクト５０の半田付け部５１とともに半田付けされる。そして、補強金具６０の半田付け部６２は、半田付けにより、相手コネクタ２を回路基板に強固に固定する。
【００４８】
ここで、この相手コネクタ２の、補強金具６０が取り付けられている長手方向両端部における幅寸法は、長手方向中央部分の幅寸法よりも幅広となっている。この両端部は、図１，図２に示すコネクタ１の両端部の、金属シェル３０が基部３１のみで形成された幅広の部分に嵌り込む。この相手コネクタ２の長手方向両端部は、幅広のため、コネクタ１の金属シェル３０の、長手方向に延びる支持部３３ｂが形成された部分には、嵌り込むことはできない。仮に、相手コネクタ２の長手方向両端部が、長手方向中央部分と同じ幅寸法を有していたとする。すなわち、相手コネクタの長手方向端部がコネクタ１の両端部から外れた中央部分に嵌り込む幅寸法を有しているとする。すると、相手コネクタ２がコネクタ１に対し長手方向にずれたまま、相手コネクタ２が斜めになって、その相手コネクタ２の一方の端部がコネクタ１に誤嵌合するおそれがある。この誤嵌合が生じると、コネクタ１の支持突条１２やコンタクト２０を変形させ、故障の原因となれるおそれがある。本実施形態の場合、金属シェル３０の４隅が基部３１のみで形成されていることからコネクタ１の両端部が幅広となっていて、相手コネクタの両端部は、その幅広の部分にのみ嵌り込むことができる。すなわち、本実施形態の場合、長手方向にずれたまま嵌合することが防止されている。
【００４９】
図４は、図１，図２に示すコネクタと図３に示す相手コネクタを嵌合の姿勢に合わせて示した、嵌合前の状態の斜視図である。
【００５０】
ここでは、嵌合の姿勢に合わせているため、相手コネクタ２の下面が上向きに示されている。
【００５１】
図５は、図４に示す矢印Ａ−Ａおよび矢印Ｂ−Ｂに沿う、２つのコネクタの断面図である。
【００５２】
ここで、図５（Ａ）は、図４の矢印Ａ−Ａに沿う、２つのコネクタの長手方向の断面図である。また、図５（Ｂ）は、図４の矢印Ｂ−Ｂに沿う、２つのコネクタの幅方向の断面図である。図５（Ｂ）の幅方向の断面図は、見易さのために、図４，図５（Ａ）よりも拡大して示している。
【００５３】
また、図６は、図１，図２に示すコネクタと図３に示す相手コネクタの、嵌合状態の斜視図である。
【００５４】
さらに、図７は、図６に示す矢印Ａ−Ａおよび矢印Ｂ−Ｂに沿う、２つのコネクタの断面図である。
【００５５】
ここで、図７（Ａ），（Ｂ）は、嵌合前後の違いを除き、それぞれ図５（Ａ），（Ｂ）と同様の図である。図７（Ｂ）の断面図は、これも図５（Ｂ）と同様、見易さのために拡大して示している。
【００５６】
図５（Ａ），図７（Ａ）には、コネクタ１の金属シェル３０の設けられている窪み部３４と、相手コネクタ２の補強金具６０に設けられている、その窪み部３４に入り込む突起部６１があらわれている。
【００５７】
コネクタ１に相手コネクタ２が嵌合するにあたり、その長手方向については、コネクタ１の金属シェル３０の長手方向両端の湾曲部３２に相手コネクタ２の補強金具６０が接して案内されて嵌合する。コネクタ１及び相手コネクタ２が互いに嵌合すると、窪み部３４に突起部６１に入り込み、その嵌合が容易には外れることはない。
【００５８】
コネクタ１に相手コネクタ２が嵌合するにあたり、その幅方向については、図５（Ｂ），図７（Ｂ）に示すように、コネクタ１の金属シェル３０の幅方向両側の湾曲部３２に相手コネクタ２のハウジング４０が接して案内されて嵌合する。この嵌合により、コネクタ１のコンタクト２０は、支持突条１２（図１，図２参照）とともに相手コネクタ２の嵌合溝４１に入り込む。そして、コネクタ１のコンタクト２０は、相手コネクタ２のコンタクト５０に両側から挟まれるようにして、相手コネクタ２のコンタクト５０に接触する。なお、図７（Ｂ）には、コンタクト２０に相手コネクタ２のコンタクト５０が食い込んでいるように示されているが、これは、弾性変形する前の形状を示しているためである。実際は、相手コネクタ２のコンタクト５０がコンタクト２０の嵌入によって弾性的に広がり、それらのコンタクト２０，５０が所期の接触圧で接触する。
【００５９】
なお、本実施形態では、コンタクト２０が長手方向に１０本並ぶコネクタ１を示した。ただし、配列されるコンタクトの本数は１０本に限られるものではなく、その本数は任意である。コネクタの長さ寸法は、コンタクトの配列本数によって調整される。
【００６０】
一方、コネクタの幅寸法については、コンタクトの長手方向の配列本数にはかかわりなく、狭幅化が維持される。
【符号の説明】
【００６１】
１  コネクタ
２  相手コネクタ
１０  樹脂ハウジング
１１  嵌合面
１２  支持突条
１３  台部
１４  保持溝
２０  コンタクト
２１  接触部
２２  半田付け部
３０  金属シェル
３０ａ，３０ｂ  部品
３１  基部
３２  湾曲部
３３  支持部
３４  窪み部
３５  半田付け部
４０  樹脂ハウジング
４１  嵌合溝
５０  コンタクト
５１  半田接続部
６０  補強金具
６１  突起部
６２  半田付け部
【図１】
2017147171.tif 000003
【図２】
2017147171.tif 000004
【図３】
2017147171.tif 000005
【図４】
2017147171.tif 000006
【図５】
2017147171.tif 000007
【図６】
2017147171.tif 000008
【図７】
2017147171.tif 000009